(57)【要約】【課題】揮発性メモリを有するデータ保存装置を備えた録画機器において、外部からの電力供給が遮断されても、限られた蓄電池の電池容量の範囲でできるだけ長時間、録画データを復旧可能な状態で保持可能にする。【解決手段】データ保存装置（メモリディスク１０で例示）は、揮発性メモリとそのデータ読み書きを制御するメモリコントローラとを有するモジュールを複数有し、複数のモジュール全てのデータ読み書きを制御する制御部と、外部供給電力をそれらに供給する電力供給部とを有する。制御部は、一部のモジュールを管理データ用モジュールとして割り当ててそのモジュールを制御し、他のモジュールを録画データ用モジュールとして割り当ててそのモジュールを制御する。電力供給部は、蓄電池を有し、外部電力供給が停止した時に、蓄電池から管理データ用モジュールへの電力供給制御と蓄電池から録画データ用モジュールへの電力供給制御とを異ならせる。【選択図】図１
2010130320.tif 000002
【特許請求の範囲】
【請求項１】
録画データ及び該録画データを管理するための管理データを保存するデータ保存装置を備えた録画機器であって、
前記データ保存装置は、１又は複数の揮発性メモリと該１又は複数の揮発性メモリに対するデータ読み書きを制御するメモリコントローラとを有するモジュールを、複数有すると共に、該複数のモジュール全てのデータ読み書きを制御する制御部と、外部から供給された電力を前記複数のモジュール及び該制御部に供給する電力供給部と、を有し、
前記制御部は、前記複数のモジュールのうちの一部のモジュールを、前記管理データを保存するための管理データ用モジュールとして割り当てて、該管理データ用モジュールに含まれるメモリコントローラを制御し、前記複数のモジュールのうち他のモジュールを前記録画データを保存するための録画データ用モジュールとして割り当てて、該録画データ用モジュールに含まれるメモリコントローラを制御し、
前記電力供給部は、蓄電池を有し、外部からの電力供給が停止した時に、前記蓄電池から前記管理データ用モジュールへの電力供給の制御と、前記蓄電池から前記録画データ用モジュールへの電力供給の制御とを異ならせることを特徴とする録画機器。
【請求項２】
前記制御部は、前記一部のモジュールを、前記管理データ用モジュールとして固定的に割り当てることを特徴とする請求項１に記載の録画機器。
【請求項３】
前記電力供給部は、外部からの電力供給が停止した時に、前記管理データ用モジュールに電力を供給する蓄電池とは別の蓄電池を、前記録画データ用モジュールに電力を供給するために有することを特徴とする請求項２に記載の録画機器。
【請求項４】
前記電力供給部は、外部からの電力供給が停止した時に、前記蓄電池から前記複数のモジュール全てに電力を供給し、前記蓄電池の容量が所定容量以下に低下した時点で、前記録画データ用モジュールへの電力供給を停止することを特徴とする請求項２に記載の録画機器。
【請求項５】
前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、
前記電力供給部は、外部からの電力供給が停止した時に、前記管理データ用モジュール及び前記恒久保存用モジュールに電力を供給する蓄電池とは別の蓄電池を、前記一時保存用モジュールに電力を供給するために有することを特徴とする請求項２に記載の録画機器。
【請求項６】
前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、
前記電力供給部は、外部からの電力供給が停止した時に、前記蓄電池から前記複数のモジュール全てに電力を供給し、前記蓄電池の容量が所定容量以下に低下した時点で、前記一時保存用モジュールへの電力供給を停止することを特徴とする請求項２に記載の録画機器。
【請求項７】
前記複数のモジュールは、全て同じ記憶容量をもったモジュールとし、
前記電力供給部は、外部からの電力供給が停止した時に電力を供給する蓄電池を、前記モジュール毎に有することを特徴とする請求項１に記載の録画機器。
【請求項８】
前記制御部は、前記管理データ用モジュールに電力を供給する蓄電池の容量が所定容量以下に低下した時に、前記録画データ用モジュールに電力を供給する蓄電池のうち該所定容量より多い容量が残っている蓄電池があった場合には、（１）前記管理データ用モジュールに保存されている前記管理データを、前記多い容量が残っている蓄電池で電力を供給している録画データ用モジュールにコピー又は移動する制御を、両モジュールに含まれるメモリコントローラに対して実行し、（２）その後、前記多い容量が残っている蓄電池で電力を供給している録画データ用モジュールを、前記管理データを保存するための新たな管理データ用モジュールとして割り当てて、該新たな管理データ用モジュールに含まれるメモリコントローラを制御することを特徴とする請求項７に記載の録画機器。
【請求項９】
前記制御部は、前記モジュール毎に設けられた蓄電池のうち最も容量が大きい蓄電池で電力が供給されるモジュールを、前記管理データ用モジュールとして固定的に割り当てて、該管理データ用モジュールに含まれるメモリコントローラを制御することを特徴とする請求項７に記載の録画機器。
【請求項１０】
前記制御部は、Ｎ−１を恒久保存用モジュールとして割り当てる数として、前記モジュール毎に設けられた蓄電池のうち２番目からＮ番目に容量が大きい蓄電池で電力が供給されるモジュールを、恒久的に前記録画データを保存するための恒久保存用モジュールとして固定的に割り当てて、該恒久保存用モジュールに含まれるメモリコントローラを制御し、前記録画データ用モジュールのうちの残りのモジュールを、一時的に前記録画データを保存するための一時保存用モジュールとして固定的に割り当てて、該一時保存用モジュールに含まれるメモリコントローラを制御することを特徴とする請求項９に記載の録画機器。
【請求項１１】
前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、
前記管理データ用モジュールは、前記１又は複数の揮発性メモリの代わりに不揮発性メモリを有し、
前記電力供給部は、外部からの電力供給が停止した時に電力を供給する蓄電池を、前記管理データ用モジュールを除いたモジュールに対して有し、
前記電力供給部は、外部からの電力供給が停止した時に、前記蓄電池から前記管理データ用モジュールへの電力供給の制御と前記蓄電池から前記録画データ用モジュールへの電力供給の制御とを異ならせる代わりに、前記蓄電池から前記恒久保存用モジュールへの電力供給の制御と前記蓄電池から前記一時保存用モジュールへの電力供給の制御とを異ならせることを特徴とする請求項２に記載の録画機器。
【発明の詳細な説明】
【技術分野】
【０００１】
本発明は、録画機器に関し、より詳細には、揮発性メモリに録画データを記録することが可能な録画機器に関する。
【背景技術】
【０００２】
従来から、ＨＤＤ（Hard Disk Drive）やＢＤ（Blu-Ray Disc），ＤＶＤ（Digital Versatile Disc）などの大容量メディアを利用して、デジタル放送を記録する録画機器が流通している。
【０００３】
特許文献１には、デジタルビデオレコーディング装置において、不揮発性メモリや補助電源などを用いなくとも、異常終了時に発生する記録媒体上のデータの不整合を復旧可能とすることを目的としたデジタルビデオレコーディング装置が開示されている。
【０００４】
特許文献１に記載の装置は、映像・音声信号を符号化する符号化部と、管理情報を生成する管理情報生成部と、符号化部から出力されたビットストリームデータ及び管理情報生成部により生成された管理情報を記録媒体に記録する記録部と、ビットストリームデータを復号する復号化部と、管理情報に基づいて制御する再生制御部と、記録動作における異常を検出する異常検出部とを備えている。また、この装置では、異常検出部で異常が検出したときに復旧用データを生成して、上記記録媒体の別領域に記録するか、或いはビットストリーム中に多重化して上記記録媒体に記録している。上記異常検出部は、符号化部又は管理情報生成部により生成された情報が、記録部にて正常に記録されずに異常終了したことを検出している。そして、この装置は、異常終了したことが検出されたときに、復旧用データを利用して管理情報を復旧する管理情報復旧部を備えている。
【０００５】
一方で、従来から、ハードディスクに見せかけるためにＳＤＲＡＭ（Synchronous Dynamic Random Access Memory）等の揮発性メモリや不揮発性メモリを用いるデータ保存装置（メモリディスクと呼ぶ）がコンピュータで用いられている。
【０００６】
図９は、従来のＳＤＲＡＭを用いたメモリディスクの構成を示す図である。図９で示すメモリディスク９は、ＡＴＡブリッジ（Advanced Technology Attachment Bridge）９０を介して、コンピュータのＣＰＵ（Central Processing Unit）のインターフェース（Ｉ／Ｆ）などに接続されている。メモリディスク９は、ＡＴＡブリッジ９０の他に、ファイルシステムコントローラ（File System Controller）９１、複数（この例では３つ）のメモリコントローラ（Memory Controller）９２ａ，９２ｂ，９２ｃ、ＳＤＲＡＭ９３ａ〜９３ｄ、ＳＤＲＡＭ９４ａ〜９４ｄ、ＳＤＲＡＭ９５ａ〜９５ｄを備えている。
【０００７】
ファイルシステムコントローラ９１は、全てのＳＤＲＡＭで記憶領域が構成されるファイルシステムを制御する。より具体的には、ＳＤＲＡＭ９３ａ〜９３ｄ、ＳＤＲＡＭ９４ａ〜９４ｄ、ＳＤＲＡＭ９５ａ〜９５ｄは、それぞれ、メモリコントローラ９２ａ、メモリコントローラ９２ｂ、メモリコントローラ９２ｃによりデータの読み書きが制御される。メモリコントローラ９２ａ，９２ｂ，９２ｃは、ファイルシステムコントローラ９１によりデータの読み書きが制御される。つまり、メモリコントローラ９２ａ，９２ｂ，９２ｃは、ファイルシステムコントローラ９１からの制御に基づき、それぞれＳＤＲＡＭ９３ａ〜９３ｄ、ＳＤＲＡＭ９４ａ〜９４ｄ、ＳＤＲＡＭ９５ａ〜９５ｄに対するデータの読み書きを制御する。
【０００８】
そして、メモリディスク９は、ＡＣ（交流）電源から電力の供給を受けているが、停電時や電源コードが抜かれた時などの電力供給遮断時にデータが喪失してしまうことを防止するために、蓄電池（バッテリ）９６のようなバックアップ電源を接続（又は搭載）している。
【特許文献１】特開２００６−１４０７２２号公報
【発明の開示】
【発明が解決しようとする課題】
【０００９】
しかしながら、１又は複数の揮発性メモリで構成されたデータ保存装置を用いてデータを記録する場合、外部電力供給遮断時が長時間続くと、蓄電池の電池残量が足りずに揮発性メモリ内のデータが全て喪失してしまい、その復旧もできない。
【００１０】
このような事態は、複数の揮発性メモリで構成されたデータ保存装置を録画機器に適用した場合でも生じ得る。揮発性メモリ内のデータには、ユーザにとって又は録画機器のシステムにとって重要なデータも含まれるが、不要なデータの喪失は許容できても重要なデータの喪失は許容できるものではない。
【００１１】
なお、特許文献１に記載の技術が上記記録媒体として揮発性メモリを想定していないことは、復旧用データの喪失まで考慮していないことから明らかであるため、特許文献１に記載の技術では、上述した電池残量不足による全データの喪失を防止することはできない。
【００１２】
本発明は、上述のような実状に鑑みてなされたものであり、その目的は、揮発性メモリで構成されたデータ保存装置を備えた録画機器において、外部からの電力供給が遮断されても、限られた蓄電池の電池容量の範囲で、できるだけ長時間、録画データを復旧可能な状態で保持できるようにすることにある。
【課題を解決するための手段】
【００１３】
上述の課題を解決するために、本発明の第１の技術手段は、録画データ及び該録画データを管理するための管理データを保存するデータ保存装置を備えた録画機器であって、前記データ保存装置は、１又は複数の揮発性メモリと該１又は複数の揮発性メモリに対するデータ読み書きを制御するメモリコントローラとを有するモジュールを、複数有すると共に、該複数のモジュール全てのデータ読み書きを制御する制御部と、外部から供給された電力を前記複数のモジュール及び該制御部に供給する電力供給部と、を有し、前記制御部は、前記複数のモジュールのうちの一部のモジュールを、前記管理データを保存するための管理データ用モジュールとして割り当てて、該管理データ用モジュールに含まれるメモリコントローラを制御し、前記複数のモジュールのうち他のモジュールを前記録画データを保存するための録画データ用モジュールとして割り当てて、該録画データ用モジュールに含まれるメモリコントローラを制御し、前記電力供給部は、蓄電池を有し、外部からの電力供給が停止した時に、前記蓄電池から前記管理データ用モジュールへの電力供給の制御と、前記蓄電池から前記録画データ用モジュールへの電力供給の制御とを異ならせることを特徴としたものである。
【００１４】
第２の技術手段は、第１の技術手段において、前記制御部は、前記一部のモジュールを、前記管理データ用モジュールとして固定的に割り当てることを特徴としたものである。
【００１５】
第３の技術手段は、第２の技術手段において、前記電力供給部は、外部からの電力供給が停止した時に、前記管理データ用モジュールに電力を供給する蓄電池とは別の蓄電池を、前記録画データ用モジュールに電力を供給するために有することを特徴としたものである。
【００１６】
第４の技術手段は、第２の技術手段において、前記電力供給部は、外部からの電力供給が停止した時に、前記蓄電池から前記複数のモジュール全てに電力を供給し、前記蓄電池の容量が所定容量以下に低下した時点で、前記録画データ用モジュールへの電力供給を停止することを特徴としたものである。
【００１７】
第５の技術手段は、第２の技術手段において、前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、前記電力供給部は、外部からの電力供給が停止した時に、前記管理データ用モジュール及び前記恒久保存用モジュールに電力を供給する蓄電池とは別の蓄電池を、前記一時保存用モジュールに電力を供給するために有することを特徴としたものである。
【００１８】
第６の技術手段は、第２の技術手段において、前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、前記電力供給部は、外部からの電力供給が停止した時に、前記蓄電池から前記複数のモジュール全てに電力を供給し、前記蓄電池の容量が所定容量以下に低下した時点で、前記一時保存用モジュールへの電力供給を停止することを特徴としたものである。
【００１９】
第７の技術手段は、第１の技術手段において、前記複数のモジュールは、全て同じ記憶容量をもったモジュールとし、前記電力供給部は、外部からの電力供給が停止した時に電力を供給する蓄電池を、前記モジュール毎に有することを特徴としたものである。
【００２０】
第８の技術手段は、第７の技術手段において、前記制御部は、前記管理データ用モジュールに電力を供給する蓄電池の容量が所定容量以下に低下した時に、前記録画データ用モジュールに電力を供給する蓄電池のうち該所定容量より多い容量が残っている蓄電池があった場合には、（１）前記管理データ用モジュールに保存されている前記管理データを、前記多い容量が残っている蓄電池で電力を供給している録画データ用モジュールにコピー又は移動する制御を、両モジュールに含まれるメモリコントローラに対して実行し、（２）その後、前記多い容量が残っている蓄電池で電力を供給している録画データ用モジュールを、前記管理データを保存するための新たな管理データ用モジュールとして割り当てて、該新たな管理データ用モジュールに含まれるメモリコントローラを制御することを特徴としたものである。
【００２１】
第９の技術手段は、第７の技術手段において、前記制御部は、前記モジュール毎に設けられた蓄電池のうち最も容量が大きい蓄電池で電力が供給されるモジュールを、前記管理データ用モジュールとして固定的に割り当てて、該管理データ用モジュールに含まれるメモリコントローラを制御することを特徴としたものである。
【００２２】
第１０の技術手段は、第９の技術手段において、前記制御部は、Ｎ−１を恒久保存用モジュールとして割り当てる数として、前記モジュール毎に設けられた蓄電池のうち２番目からＮ番目に容量が大きい蓄電池で電力が供給されるモジュールを、恒久的に前記録画データを保存するための恒久保存用モジュールとして固定的に割り当てて、該恒久保存用モジュールに含まれるメモリコントローラを制御し、前記録画データ用モジュールのうちの残りのモジュールを、一時的に前記録画データを保存するための一時保存用モジュールとして固定的に割り当てて、該一時保存用モジュールに含まれるメモリコントローラを制御することを特徴としたものである。
【００２３】
第１１の技術手段は、第２の技術手段において、前記制御部は、前記録画データ用モジュールのうちの一部のモジュールを、恒久的に前記録画データを保存するための恒久保存用モジュールとして割り当てて、該恒久保存用モジュールに含まれるメモリコントローラを制御し、前記録画データ用モジュールのうちの残りのモジュールを、一時的に前記録画データを保存するための一時保存用モジュールとして割り当てて、該一時保存用モジュールに含まれるメモリコントローラを制御し、前記管理データ用モジュールは、前記１又は複数の揮発性メモリの代わりに不揮発性メモリを有し、前記電力供給部は、外部からの電力供給が停止した時に電力を供給する蓄電池を、前記管理データ用モジュールを除いたモジュールに対して有し、前記電力供給部は、外部からの電力供給が停止した時に、前記蓄電池から前記管理データ用モジュールへの電力供給の制御と前記蓄電池から前記録画データ用モジュールへの電力供給の制御とを異ならせる代わりに、前記蓄電池から前記恒久保存用モジュールへの電力供給の制御と前記蓄電池から前記一時保存用モジュールへの電力供給の制御とを異ならせることを特徴としたものである。
【発明の効果】
【００２４】
本発明によれば、揮発性メモリで構成されたデータ保存装置を備えた録画機器において、外部からの電力供給が遮断されても、限られた蓄電池の電池容量の範囲で、できるだけ長時間、録画データを復旧可能な状態で保持することができる。
【発明を実施するための最良の形態】
【００２５】
まず、本発明に係る録画機器について、再生機能も備えた録画再生機器を例に挙げてその概要を説明する。但し、本発明において再生機能は必須ではなく、また録画再生機器として構成する場合にも以下に例示する構成に限ったものではない。なお、再生機能を備えない録画機器の場合には、外部に接続した再生機器から録画機器内のデータが読み出し可能な構成であれば再生も可能である。
【００２６】
図１は、本発明の一実施形態に係る録画再生機器の構成例を示すブロック図である。図１で例示する録画再生機器１は、メモリディスク１０、チューナ１２、トランスコーダ１３、入出力Ｉ／Ｆ１４、リモコン受信部１６、デコーダ１７、音声出力部１８、表示出力部１９、及び、装置全体を制御するためのＣＰＵ、ＲＡＭ、ＲＯＭ（Read Only Memory）等で構成される制御部１５を備えている。制御部１５では、以下に説明するような処理手順を実行するためのコンピュータ読み取り可能なプログラムを、ＣＰＵでＲＡＭに読み出しながら実行可能な状態で、ＲＯＭ等に格納しておけばよい。
【００２７】
チューナ１２は、アンテナ１１を経由してデジタル放送波を受信できる構成を有する。勿論、チューナ１２は、アナログ放送波とデジタル放送波の両方を受信できる構成としてもよいし、アナログ放送波のみを受信できる構成としてもよい。また、ＳＴＢ（Set Top Box）などによりデジタルチューナを外部接続する場合には、チューナ１２を設けなくてもよい。チューナ１２や外部接続のための端子等は、トランスコーダ１３、制御部１５、及びデコーダ１７等でなるバックエンド部に対して、フロントエンド部と呼ばれることもある。
【００２８】
入出力Ｉ／Ｆ１４は、ＢＤ，ＤＶＤ等の可搬記録媒体を装着してデータの入出力（書き込み／読み出し）を行う。入出力Ｉ／Ｆ１４は、制御部１５に設けたＩ／Ｆ１５ａを介して、制御部１５とのデータのやり取りを行う。なお、録画再生機器１において、入出力Ｉ／Ｆ１４は必須ではない。
【００２９】
また、録画再生機器１には、本発明の主たる特徴であるデータ保存装置の一例として、メモリディスク１０が設けられている。メモリディスク１０は、揮発性メモリを有し、ＡＴＡブリッジ（ATA Bridge）１０ａにより、制御部１５に設けられたＡＴＡ  Ｉ／Ｆ１５ｂと接続されている。この接続により、制御部１５とメモリディスク１０との間でのデータのやり取りが可能になる。なお、ＡＴＡ規格に基づき制御部１５とメモリディスク１０とが接続された例を示しているが、ＳＡＴＡ（Serial ATA）規格やＳＣＳＩ（Small Computer System Interface）規格など他の規格に基づいて接続してもよい。但し、ここで例示したような規格を採用することで、制御部１５からメモリディスク１０がハードディスクのように見えるため、好ましい。メモリディスク１０として例示するデータ保存装置の詳細については、後述する。
【００３０】
このように、録画再生機器１は、例えば、デジタルチューナ内蔵のメモリディスクレコーダ或いはメモリディスク一体型のＢＤレコーダやＤＶＤレコーダ、若しくは、デジタルチューナを外部接続可能なメモリディスクレコーダ或いはメモリディスク一体型のＢＤレコーダやＤＶＤレコーダなどとして、適宜構成することができる。
【００３１】
リモコン受信部１６は、リモコン等の操作入力手段からの操作信号を受光する受光部を備え、受光した操作信号を解釈して制御部１５に渡している。なお、操作は録画再生機器１の本体に具備した図示しない操作ボタンによっても可能である。
【００３２】
音声出力部１８は、アンテナ１１を経由して受信したコンテンツや可搬記録媒体やメモリディスク１０内に記録されたコンテンツの音声データを、図示しない外部スピーカに音声として出力する。また、表示出力部１９は、アンテナ１１を経由して受信したコンテンツや可搬記録媒体やメモリディスク１０内に記録されたコンテンツの映像データ及び付加データを、図示しない外部接続された表示装置に出力する。この表示装置としては、例えば、ＣＲＴ（Cathode-ray Tube）装置、プラズマ表示装置、液晶表示装置、有機／無機ＥＬ（electroluminescence）装置などが挙げられる。また、表示出力部１９は、制御部１５の制御によって生成される録画コンテンツの一覧や、特定の録画コンテンツから生成した複数のサムネイルの一覧などを上記表示装置に出力することも可能である。
【００３３】
録画再生機器１を用いてデジタル放送を視聴する場合、チューナ１２は、アンテナ１１から入力された高周波信号（デジタル変調信号）を復調し、その復調信号をデコーダ１７に入力する。デコーダ１７は、入力された復調信号を映像信号と音声信号と付加信号とに分離して復号した後、その復号信号から表示制御出力信号及びそれに同期した音声制御出力信号を生成し、その表示制御出力信号を表示出力部１９に出力し、音声制御出力信号を音声出力部１８に出力する。なお、上記表示制御出力信号は、付加信号から生成された復号信号を映像信号から生成された復号信号に重畳した信号に関する信号である。表示出力部１９から出力された表示制御出力信号は、録画再生機器１に接続されたテレビなどの表示装置に入力され、その表示画面により、ユーザは表示制御出力信号に対応したデジタル放送番組の映像及び付加情報を見ることができる。音声出力部１８から出力された音声制御出力信号は、録画再生機器１に接続されたテレビなどのスピーカ付き表示装置に入力され、そのスピーカにより、ユーザは音声制御出力信号に対応したデジタル放送番組の音声を聴くことができる。
【００３４】
なお、チューナ１２をアナログ放送受信可能に構成した場合には、デコーダ１７もアナログ対応可能に構成しておけば、そのアナログ放送を視聴することが可能であり、その処理はデジタル放送の視聴について説明したものと同様である。
【００３５】
また、メモリディスク１０やＢＤ等の可搬記録媒体に記録されているコンテンツを録画再生機器１により再生する場合、デコーダ１７は、メモリディスク１０又はＢＤ等に記録されているコンテンツのデータを復号した後、映像データ及び付加データについては映像出力可能な形式に変換して表示出力部１９に出力し、音声データについては音声出力可能な形式に変換して、音声出力部１８に映像と同期させて出力する。表示出力部１９、音声出力部１８に出力された各データの再生については、デジタル放送の視聴に関して説明した通りである。
【００３６】
また、録画再生機器１を用いてデジタル放送番組（デジタル放送コンテンツ）をそのまま録画する場合、チューナ１２は、アンテナ１１から入力された高周波信号（デジタル変調信号）を復調してメモリディスク１０又はＢＤ等の各種記録媒体に記録する。また、録画再生機器１では、ＢＤ等の可搬型記録媒体に記録されたコンテンツを、入出力Ｉ／Ｆ１４を介してメモリディスク１０へ移動又はそのままコピーすることができ、逆にメモリディスク１０に記録されたコンテンツを入出力Ｉ／Ｆ１４を介してＢＤ等の可搬型記録媒体へ移動又はそのままコピーすることができる。
【００３７】
次に、録画再生機器１を用いて、受信したデジタル放送番組や記録済みのコンテンツをレート変換して録画する場合について説明する。トランスコーダ１３は、圧縮符号化された映像データを逆量子化し、量子化ステップ（量子化幅、量子化スケール、量子化係数などとも呼ばれる）を変更して再量子化することで、圧縮処理を行う圧縮手段の一例である。
【００３８】
トランスコーダ１３は、入力されたデータ（入力ビットストリーム）に対して、規格を変えることなく圧縮処理し、圧縮データ（出力ビットストリーム）を出力することが可能に構成されている。また、トランスコーダ１３は、ＭＰＥＧ（Moving Picture Experts Group）−２規格のＴＳデータをＨ．２６４／ＡＶＣ（Advanced Video Coding）規格のＴＳデータへ変換するなど、入力されたデータをそのデータの規格と異なる規格のデータに変換することも可能に構成されている。圧縮処理自体は採用する規格に基づき実行すればよいため、その詳細を説明しない。
【００３９】
また、トランスコーダ１３に入力されるデータは、チューナ１２経由で受信した又はネットワーク経由でダウンロードした放送コンテンツのデータ、入出力Ｉ／Ｆ１４から入力されたＢＤ等の可搬記録媒体に記録済みのコンテンツのデータ、メモリディスク１０で読み取ったコンテンツのデータが挙げられる。従って、トランスコーダ１３は、受信した放送コンテンツのデータを圧縮し、ＢＤ等の可搬記録媒体に記録するために入出力Ｉ／Ｆ１４へ出力するか或いはメモリディスク１０の記憶領域に記録するためにメモリディスク１０へ出力することや、メモリディスク１０から読み取ったデータを圧縮し、ＢＤ等の可搬記録媒体に記録するために入出力Ｉ／Ｆ１４へ出力することや、ＢＤ等の可搬記録媒体から入出力Ｉ／Ｆ１４により読み取ったデータを圧縮し、メモリディスク１０に記録するために出力することが可能となっている。
【００４０】
そして、録画再生機器１は、入出力Ｉ／Ｆ１４やメモリディスク１０で例示したように、トランスコーダ１３で圧縮された圧縮データを記録媒体に記録する（書き込む）記録手段を備える。つまり、トランスコーダ１３から出力されたデータは、入出力Ｉ／Ｆ１４を介してＢＤ等の記録媒体に記録したり、メモリディスク１０に記録したりすることができる。
【００４１】
また、圧縮符号化されたデータを逆量子化後に再量子化して記録する装置（トランスコーダ１３）を具備する例を挙げたが、圧縮符号化されたデータを復号後に再符号化して記録する装置（エンコーダを含む装置）とすることもできる。図１の例で説明すると、上述した録画再生機器１は、トランスコーダ１３の代わりに上述の可変ビットレート制御が可能なエンコーダを設け、デコーダ１７で復号された映像データをそのエンコーダで再符号化するように構成しておけばよい。また、このエンコーダをトランスコーダ１３と併設して再量子化のみ及び再符号化の双方の処理により圧縮できるように構成することもできる。
【００４２】
また、録画再生機器１をアナログ放送受信可能な構成とし、受信したアナログ放送番組を録画する場合、アンテナ１１から入力された高周波信号（アナログ変調信号）をチューナ１２が復調し、上述の可変ビットレート制御が可能なエンコーダがその復調信号を符号化し、符号化したデータを記録に適した形式（例えばプログラムストリーム）に変換してメモリディスク１０又はＢＤ等の各種記録媒体に記録すればよい。
【００４３】
以下、本発明に係る録画機器に具備されるデータ保存装置（以下、本メモリディスクと呼ぶ）における、本発明の特徴部分を説明する。本メモリディスクは、メモリディスク１０として例示したものであり、以下に説明する各形態のメモリディスクは例えば図１の録画再生機器１におけるメモリディスク１０として組み込むことができる。
【００４４】
本メモリディスクは、録画データを記録（保存）するための装置であり、より詳細には、録画データだけでなくその録画データを管理するための管理データも保存する。この管理データには、録画データのタイトルや録画時刻などの情報をはじめ、録画データの保存領域などの情報も、通常含まれる。本メモリモジュールは、次に説明するモジュール（メモリモジュール）を複数有すると共に、それら複数のモジュール全てのデータ読み書きを制御する制御部と、外部から供給された電力をそれら複数のモジュール及び制御部に供給する電力供給部とを有する。なお、上記制御部は、図１の制御部１５とは異なる。
【００４５】
上記モジュールは、１又は複数の揮発性メモリと、その１又は複数の揮発性メモリに対するデータ読み書きを制御するメモリコントローラとを有する。以下の各形態では、揮発性メモリとしてＳＤＲＡＭを用いた例を挙げて説明するが、他種のＤＲＡＭ（Dynamic RAM）や、擬似ＳＲＡＭ（Pseudo Static RAM）など他の揮発性メモリを採用することができる。他種のＤＲＡＭとしては、ＤＤＲ（Double Data Rate）  ＳＤＲＡＭ、ＤＤＲ２  ＳＤＲＡＭ、ＤＤＲ３  ＳＤＲＡＭ、発売が予定されているＤＤＲ４  ＳＤＲＡＭなど、様々なものが挙げられる。また、ここで例示した各揮発性メモリはリフレッシュが必要なものであるが、それを必要としないＳＲＡＭ（Static RAM）も適用することができる。
【００４６】
また、１つのモジュール内に具備される揮発性メモリは、メモリコントローラを共通とするため全て同じ種類（ＳＤＲＡＭで例示するように同じ規格。但し記憶容量は異なってもよい。）とするが、異なるモジュール同士は異なる種類の揮発性メモリを採用してもよい。例えば、１つのモジュールでＤＤＲ２を搭載し、他のモジュールでＤＤＲ３を搭載してもよい。
【００４７】
そして、本発明における上記制御部は、複数のモジュールのうちの一部のモジュールを、管理データを保存するための管理データ用モジュールとして割り当てて、その管理データ用モジュールに含まれるメモリコントローラを制御する。つまり、上記制御部は、管理データ用モジュールとして割り当てたモジュールの揮発性メモリに管理データが保存されるように（その揮発性メモリを管理領域として使用するように）、その管理データ用モジュールのメモリコントローラを制御する。
【００４８】
一方で、本発明における上記制御部は、複数のモジュールのうち他のモジュール（上記一部のモジュール以外のモジュールの全て又は一部）を録画データを保存するための録画データ用モジュールとして割り当てて、その録画データ用モジュールに含まれるメモリコントローラを制御する。つまり、上記制御部は、録画データ用モジュールとして割り当てたモジュールの揮発性メモリに録画データが保存されるように（その揮発性メモリをデータ領域として使用するように）、その録画データ用モジュールのメモリコントローラを制御する。
【００４９】
本発明では、このように、録画領域を、管理領域（ファイル管理領域）とデータ領域とに物理的に分割して構成している。さらに、本発明における上記電力供給部は、蓄電池を有する。なお、外部（ＡＣ電源）から電力供給時には、対応するモジュールにバッテリ経由で電力の供給を行うようにしてもよいし、ＡＣ電源からの電力供給時に、バッテリの充電を（充電完了まで）行うと共に、バッテリを経由せずに直接、対応するモジュールに電力を供給するような構成を採用してもよい。
【００５０】
そして、電力供給部は、外部（ＡＣ電源）からの電力供給が停止した時に（停電時やコンセントが抜かれた時などの電力供給遮断時に）、蓄電池から管理データ用モジュールへの電力供給の制御と、蓄電池から録画データ用モジュールへの電力供給の制御とを異ならせる。ここで、管理データ用モジュールに長時間供給できるように蓄電池から電力を供給することが好ましい。なお、電力供給部は、勿論、録画機器の他の部分にも電力を供給するが、ＡＣ電源から電力供給すればよく、少なくとも上記蓄電池と同じ蓄電池からの供給は行わないように構成しておくことが好ましい。
【００５１】
本発明に係る録画機器は、外部からの電力供給が遮断されても、管理データ用モジュールに蓄電池から電力が供給できるように制御を行えるため、限られた蓄電池の電池容量の範囲で、できるだけ長時間、録画データを復旧可能な状態で保持することができる。つまり、本発明では、一部の揮発性メモリ内のデータが破損した場合でも、録画データの管理領域（録画機器のシステムにとって重要なデータ）が保たれた状態で外部電力供給が再開できた場合には、多少の欠落があっても再生可能な部分の録画データ（録画コンテンツ）が保護されることになる。
【００５２】
以下、このような特徴部分をもった本メモリディスクの様々な実施形態について、図２〜図８を参照しながら具体的に説明する。
【００５３】
図２は、本発明の一実施形態に係るＳＤＲＡＭを用いたメモリディスクの一構成例を示す図である。図２で示すメモリディスク２は、ＡＴＡブリッジ２０を介して、録画再生機器１等の録画機器におけるＣＰＵ等を備えた制御部１５のＩ／Ｆ１５ｂにＡＴＡ規格に基づき接続されている。上述したように、ＳＡＴＡ規格やＳＣＳＩ規格など他の規格に基づく接続であってもよい（以降に説明する他の実施形態においても同様）。メモリディスク２は、ＡＴＡブリッジ２０の他に、ファイルシステムコントローラ２１、複数（この例では３つ）のメモリコントローラ２２ａ，２２ｂ，２２ｃ、ＳＤＲＡＭ２３ａ，２３ｂ、ＳＤＲＡＭ２４ａ〜２４ｄ、ＳＤＲＡＭ２５ａ〜２５ｄを備えている。
【００５４】
ファイルシステムコントローラ２１は、上記制御部（図１の制御部１５とは異なる）の一例であり、全てのＳＤＲＡＭで記憶領域が構成されるファイルシステムを制御する。各モジュールは、メモリコントローラと一対一に対応し、図示するようにファイルシステムコントローラ２１に並列に接続されている。メモリコントローラ２２ａ，２２ｂ，２２ｃは、ファイルシステムコントローラ２１によりデータの読み書きが制御される。
【００５５】
ＳＤＲＡＭ２３ａ，２３ｂ、ＳＤＲＡＭ２４ａ〜２４ｄ、ＳＤＲＡＭ２５ａ〜２５ｄは、それぞれ、メモリコントローラ２２ａ、メモリコントローラ２２ｂ、メモリコントローラ２２ｃによりデータの読み書きが制御される。ＳＤＲＡＭ２３ａ，２３ｂがメモリコントローラ２２ａに並列に接続されているように、各ＳＤＲＡＭは、メモリコントローラに並列に接続されている。但し、例えばＳＤＲＡＭ２３ａは、１枚のＳＤＲＡＭであっても、図示するように複数のＳＤＲＡＭが直列で接続されたものであってもよい。他のＳＤＲＡＭ２３ｂ，２４ａ〜２４ｄ，２５ａ〜２５ｄについても同様である。ＳＤＲＡＭは応答速度が速いためこのような接続方法を採用しても支障無く処理を遂行できる。また、１つのメモリコントローラに並列接続する各ＳＤＲＡＭ（ＳＤＲＡＭ群）はお互い同じ記憶容量を持たせて均一に記憶領域を分散することが好ましい。
【００５６】
このように、メモリコントローラ２２ａ，２２ｂ，２２ｃは、ファイルシステムコントローラ２１からの制御に基づき、それぞれＳＤＲＡＭ２３ａ，２３ｂ、ＳＤＲＡＭ２４ａ〜２４ｄ、ＳＤＲＡＭ２５ａ〜２５ｄに対するデータの読み書きを制御する。
【００５７】
このような構成において、ファイルシステムコントローラ２１は、モジュール群の中から一部のモジュール（この例ではメモリコントローラ２２ａ、ＳＤＲＡＭ２３ａ，２３ｂで構成されるモジュール）を、管理データを保存するための管理データ用モジュール（管理領域のモジュール）として割り当て、管理データ用モジュールのメモリコントローラ（この例ではメモリコントローラ２２ａ）を制御する。このような制御により、ＳＤＲＡＭ２３ａ，２３ｂには、管理データを保存することができる。
【００５８】
また、ファイルシステムコントローラ２１は、モジュール群の中から他のモジュール（この例ではメモリコントローラ２２ｂ、ＳＤＲＡＭ２４ａ〜２４ｄで構成されるモジュールと、メモリコントローラ２２ｃ、ＳＤＲＡＭ２５ａ〜２５ｄで構成されるモジュール）を、録画データを保存するための録画データ用モジュール（データ領域のモジュール）として割り当て、録画データ用モジュールのメモリコントローラ（この例ではメモリコントローラ２２ｂ，２２ｃ）を制御する。このような制御により、ＳＤＲＡＭ２４ａ〜２４ｄ、ＳＤＲＡＭ２５ａ〜２５ｄには、録画データを保存することができる。
【００５９】
そして、本実施形態におけるファイルシステムコントローラ２１は、一部のモジュールを管理データ用モジュールとして固定的に割り当てる。つまり、管理データ用モジュールとして（管理領域として）、特定のモジュールが割り当てられたままとなる。勿論、このときファイルシステムコントローラ２１は、他のモジュールを録画データ用モジュールとして固定的に割り当てる。なお、管理データ用モジュールとして１つのモジュールのみを割り当てた例を示しているが複数のモジュールを割り当ててもよい。但し、通常、録画データを保存する領域に対して管理データを保存する領域は少ない容量で済むことを考慮して、割り当てを決めるとよい。
【００６０】
また、ファイルシステムコントローラ２１に各メモリコントローラ２２ａ，２２ｂ，２２ｃが並列に接続されている例を説明したが、本実施形態では上述のように管理領域／データ領域の割り当てが固定的であるため、図２で「データ領域」として分けたような構成を採用してもよい。つまり、ファイルシステムコントローラ２１は、メモリコントローラ２２ａとデータ領域用のブリッジとに並列に接続され、そのブリッジにはメモリコントローラ２２ｂ，２２ｃが並列に接続されるような構成を採用してもよい。
【００６１】
メモリディスク２は、ＡＣ電源から電力の供給を受けているが、停電時や電源コードが抜かれた時などの電力供給遮断時にデータが喪失してしまうことを防止するために、蓄電池（所謂、バックアップ電源）を搭載（又は接続）している。上述したように、本発明における電力供給部は、ＡＣ電源からの電力供給が停止した時に、蓄電池から管理データ用モジュールへの電力供給の制御と、蓄電池から録画データ用モジュールへの電力供給の制御とを異ならせ、可能な限り管理データを保護する。
【００６２】
本実施形態における電力供給部は、このような異なる電力供給制御を行うために、外部からの電力供給が停止した時に管理データ用モジュールに電力を供給する蓄電池２６ａとは別の蓄電池２６ｂを、録画データ用モジュールに電力を供給するために設けている。つまり、管理データ用モジュールに電力を供給する蓄電池２６ａが、録画データ用モジュールに電力を供給してしまうことの無いように別の蓄電池２６ｂを設けている。このように蓄電池２６ａ，２６ｂは、上記電力供給部に設けた蓄電池の例である。
【００６３】
ここで、蓄電池２６ａ，２６ｂの電池容量（好ましくは単位記憶容量当たりの電池容量）は、蓄電池２６ａの方が多いことが好ましいが、同じ又は少ない構成であっても、例えば外部電力供給時に優先的に蓄電池２６ａに電力を供給して充電させ、充電が完了した時点で蓄電池２６ｂの充電を開始するような制御を行うなどすればよい。また、蓄電池２６ｂを１つの蓄電池で構成した例を示しているが、モジュール毎に蓄電池を設けておいてもよい。
【００６４】
また、ＡＣ電源からの電力供給が停止した時には、蓄電池からメモリコントローラだけに電力を供給するようにし（システムコントローラ２１や録画機器内の他の構成にはその蓄電池から電力を供給しないようにし）、各メモリコントローラ２２ａ〜２２ｃ（勿論、このうち電力が供給中のものに限る）がバックアップモードへ移行して、データの保持動作だけを行うようにすることが好ましい。このデータ保持動作としては、リフレッシュが必要なＳＤＲＡＭ等の揮発性メモリの場合、そのリフレッシュ動作が該当する。このような電力制御及び保持動作は、図２の構成に限らず、以下で例示する他の実施形態にも有益である。
【００６５】
図３は、本発明の他の実施形態に係るＳＤＲＡＭを用いたメモリディスクの一構成例を示す図である。図３で示すメモリディスク３は、図２のメモリディスク２と同様に、ＡＴＡブリッジ３０を介して、図１の制御部１５のＩ／Ｆ１５ｂにＡＴＡ規格に基づき接続されている。メモリディスク３は、図２のメモリディスク２と同様に、ＡＴＡブリッジ３０の他に、ファイルシステムコントローラ３１、複数（この例では３つ）のメモリコントローラ３２ａ，３２ｂ，３２ｃ、ＳＤＲＡＭ３３ａ，３３ｂ、ＳＤＲＡＭ３４ａ〜３４ｄ、ＳＤＲＡＭ３５ａ〜３５ｄを備えている。
【００６６】
ファイルシステムコントローラ３１は、上記制御部（図１の制御部１５とは異なる）の一例であり、全てのＳＤＲＡＭで記憶領域が構成されるファイルシステムを制御する。各モジュール内での接続や各モジュールとファイルシステムコントローラ３１との接続、並びにこれらの接続によるデータのやり取りについては、図２で説明したものと同様である。このような構成により、メモリコントローラ３２ａ，３２ｂ，３２ｃは、ファイルシステムコントローラ３１からの制御に基づき、それぞれＳＤＲＡＭ３３ａ，３３ｂ、ＳＤＲＡＭ３４ａ〜３４ｄ、ＳＤＲＡＭ３５ａ〜３５ｄに対するデータの読み書きを制御する。
【００６７】
また、メモリディスク３における管理領域とデータ領域との割り当てについても、図２のメモリディスク２で説明したのと同様である。つまり、ファイルシステムコントローラ３１は、一部のモジュール（この例ではメモリコントローラ３２ａ、ＳＤＲＡＭ３３ａ，３３ｂで構成されるモジュール）を管理データ用モジュールとして固定的に割り当て、管理データ用モジュールのメモリコントローラ（この例ではメモリコントローラ３２ａ）を制御する。このような制御により、ＳＤＲＡＭ３３ａ，３３ｂには、管理データを保存することができる。また、ファイルシステムコントローラ３１は、他のモジュール（この例ではメモリコントローラ３２ｂ、ＳＤＲＡＭ３４ａ〜３４ｄで構成されるモジュールと、メモリコントローラ３２ｃ、ＳＤＲＡＭ３５ａ〜３５ｄで構成されるモジュール）を録画データ用モジュール（データ領域のモジュール）として固定的に割り当て、録画データ用モジュールのメモリコントローラ（この例ではメモリコントローラ３２ｂ，３２ｃ）を制御する。このような制御により、ＳＤＲＡＭ３４ａ〜３４ｄ、ＳＤＲＡＭ３５ａ〜３５ｄには、録画データを保存することができる。
【００６８】
また、ファイルシステムコントローラ３１に各メモリコントローラ３２ａ，３２ｂ，３２ｃが並列に接続されている例を前提として説明したが、本実施形態でも上述のように管理領域／データ領域の割り当てが固定的であるため、図３で「データ領域」として分けたような構成を採用してもよい。つまり、ファイルシステムコントローラ３１は、メモリコントローラ３２ａとデータ領域用のブリッジとに並列に接続され、そのブリッジにはメモリコントローラ３２ｂ，３２ｃが並列に接続されるような構成を採用してもよい。
【００６９】
メモリディスク３も、ＡＣ電源から電力の供給を受けているが、電力供給遮断時のデータ喪失防止のために、蓄電池を搭載（又は接続）しており、ＡＣ電源からの電力供給が停止した時に、蓄電池から管理データ用モジュールへの電力供給の制御と、蓄電池から録画データ用モジュールへの電力供給の制御とを異ならせ、可能な限り管理データを保護する。但し、本実施形態では、この電力供給制御のための構成が、図２のメモリディスク２の構成とは異なる。
【００７０】
本実施形態における電力供給部は、このような異なる電力供給制御を行うために、蓄電池３６ａと電源制御回路３６ｂとを備える。電源制御回路３６ｂは、外部からの電力供給が停止した時に、蓄電池３６ａから複数のモジュール全てに電力を供給するよう制御する。このように、蓄電池３６ａは、上記電力供給部に設けた蓄電池の例であり、各モジュールに電力を供給するための共通の蓄電池である。
【００７１】
さらに、電源制御回路３６ｂは、蓄電池３６ａの容量（つまりバッテリ残量）を監視し、バッテリ残量が所定容量以下に低下した時点（停止時にフル充電であった場合で考えると所定量以上低下した時点）で、録画データ用モジュールへの電力供給を停止する。このような停止のためのスイッチを電源制御回路３６ｂは有している。これにより、バッテリ残量が低下した時点で、管理データ用モジュールのみに電力供給が可能になり、可能な限り長時間、管理データの保護が可能になる。管理データが残っていれば、録画データが殆ど消えても復旧できる場合もある。
【００７２】
図４は、本発明の他の実施形態に係るＳＤＲＡＭを用いたメモリディスクの一構成例を示す図である。図４で示すメモリディスク４は、図２のメモリディスク２と同様に、ＡＴＡブリッジ４０を介して、図１の制御部１５のＩ／Ｆ１５ｂにＡＴＡ規格に基づき接続されている。メモリディスク４は、図２のメモリディスク２と同様に、ＡＴＡブリッジ４０の他に、ファイルシステムコントローラ４１、複数（この例では６つ）のメモリコントローラ４２ａ，４２ｂ，４２ｃ，４２ｄ，４２ｅ，４２ｆ、ＳＤＲＡＭ４３ａ、ＳＤＲＡＭ４４ａ，４４ｂ、ＳＤＲＡＭ４５ａ，４５ｂ、ＳＤＲＡＭ４６ａ，４６ｂ、ＳＤＲＡＭ４７ａ，４７ｂ、ＳＤＲＡＭ４８ａ，４８ｂを備えている。
【００７３】
ファイルシステムコントローラ４１は、上記制御部（図１の制御部１５とは異なる）の一例であり、全てのＳＤＲＡＭで記憶領域が構成されるファイルシステムを制御する。各モジュール内での接続や各モジュールとファイルシステムコントローラ４１との接続、並びにこれらの接続によるデータのやり取りについては、図２で説明したものと基本的に同様であり、ファイルシステムコントローラ４１には、メモリコントローラ４２ａ，４２ｂ，４２ｃ，４２ｄ，４２ｅ，４２ｆが並列に接続され、各メモリコントローラにはＳＤＲＡＭが並列に接続されている。このような構成により、メモリコントローラ４２ａ，４２ｂ，４２ｃ，４２ｄ，４２ｅ，４２ｆは、ファイルシステムコントローラ４１からの制御に基づき、それぞれＳＤＲＡＭ４３ａ、ＳＤＲＡＭ４４ａ，４４ｂ、ＳＤＲＡＭ４５ａ，４５ｂ、ＳＤＲＡＭ４６ａ，４６ｂ、ＳＤＲＡＭ４７ａ，４７ｂ、ＳＤＲＡＭ４８ａ，４８ｂに対するデータの読み書きを制御する。
【００７４】
また、メモリディスク４における管理領域とデータ領域との割り当てについても、図２のメモリディスク２で説明したのと同様である。つまり、ファイルシステムコントローラ４１は、一部のモジュール（この例ではメモリコントローラ４２ａ、ＳＤＲＡＭ４３ａで構成されるモジュール）を管理データ用モジュールとして固定的に割り当て、管理データ用モジュールのメモリコントローラ（この例ではメモリコントローラ４２ａ）を制御する。このような制御により、ＳＤＲＡＭ４３ａには、管理データを保存することができる。また、ファイルシステムコントローラ４１は、他のモジュール（この例ではメモリコントローラ４２ｂ〜４２ｆに関連する各モジュール）を録画データ用モジュール（データ領域のモジュール）として固定的に割り当て、録画データ用モジュールのメモリコントローラ（この例ではメモリコントローラ４２ｂ〜４２ｆ）を制御する。このような制御により、ＳＤＲＡＭ４４ａ，４４ｂ、ＳＤＲＡＭ４５ａ，４５ｂ、ＳＤＲＡＭ４６ａ，４６ｂ、ＳＤＲＡＭ４７ａ，４７ｂ、ＳＤＲＡＭ４８ａ，４８ｂには、録画データを保存することができる。
【００７５】
本実施形態では、さらに、データ領域も恒久保存領域と一時保存領域との２つに分割する。より具体的には、ファイルシステムコントローラ４１が、録画データ用モジュールのうちの一部のモジュール（この例では、メモリコントローラ４２ｂ，４２ｃに関連する各モジュール）を、恒久的に録画データを保存するための恒久保存用モジュールとして割り当てて、恒久保存用モジュールのメモリコントローラ（この例では、メモリコントローラ４２ｂ，４２ｃ）を制御する。このような制御により、ＳＤＲＡＭ４４ａ，４４ｂ、ＳＤＲＡＭ４５ａ，４５ｂには、恒久的な保存が要求される録画データを保存することができる。
【００７６】
また、ファイルシステムコントローラ４１が、録画データ用モジュールのうちの残りのモジュール（この例では、メモリコントローラ４２ｄ，４２ｅ，４２ｆに関連する各モジュール）を、一時的に録画データを保存するための一時保存用モジュールとして割り当てて、一時保存用モジュールに含まれるメモリコントローラ（この例では、メモリコントローラ４２ｄ，４２ｅ，４２ｆ）を制御する。このような制御により、ＳＤＲＡＭ４６ａ，４６ｂ、ＳＤＲＡＭ４７ａ，４７ｂ、ＳＤＲＡＭ４８ａ，４８ｂには、恒久的な保存が要求されない録画データを保存することができる。勿論、この一時保存領域内のデータは、恒久的な保存が要求されないデータではあるが、通常時は消去することなく保持しておかないと録画した意味が無くなる。
【００７７】
恒久保存したい録画データは、録画機器において、リモコンや本体操作部のユーザ操作により、録画コンテンツ単位で指定できるように構成しておけばよい。まず、一時保存領域に録画コンテンツを保存しておき、この指定があったときにその録画コンテンツを恒久保存領域に移動（又はコピー）させればよい。若しくは、録画予約時又は録画指示時に恒久保存か一時保存かをユーザ選択できるような構成にしておいてもよく、その場合、そのユーザ選択に従って録画コンテンツを録画時に振り分けて保存するとよい。
【００７８】
恒久保存用モジュールと一時保存用モジュールとの割り当ても固定的な割り当てとしてもよいし、変更可能な割り当てとしてもよい。変更可能な割り当ての場合、ユーザ操作により恒久保存領域と一時保存領域との割合の設定を変更するように構成できる。また、変更可能な割り当ての場合、ユーザ指定された恒久保存したい録画データの容量が増えた場合に、一時保存領域を恒久保存領域に割り当てし直すなどの処理が可能なように構成することもできる。
【００７９】
また、ファイルシステムコントローラ４１に各メモリコントローラ４２ａ〜４２ｆが並列に接続されている例を前提として説明したが、本実施形態でも上述のように管理領域／データ領域の割り当てが固定的であるため、図４で「データ領域」として分けたような構成を採用してもよい。つまり、ファイルシステムコントローラ４１は、メモリコントローラ４２ａとデータ領域用のブリッジとに並列に接続され、そのデータ領域用ブリッジにはメモリコントローラ４２ｂ〜４２ｆが並列に接続されるような構成を採用してもよい。
【００８０】
また、同様の考えにより、恒久保存領域と一時保存領域とを固定的に割り当てる場合には、そのデータ領域用ブリッジに恒久保存領域用ブリッジと一時保存領域用ブリッジとを並列に接続し、恒久保存領域用ブリッジにメモリコントローラ４２ｂ，４２ｃを並列に接続し、一時保存領域用ブリッジにメモリコントローラ４２ｄ，４２ｅ，４２ｆを並列に接続するような構成を採用してもよい。また、ファイルシステムコントローラ４１に、メモリコントローラ４２ａと恒久保存領域用ブリッジと一時保存領域用ブリッジとを並列に接続し、恒久保存領域用ブリッジにメモリコントローラ４２ｂ，４２ｃを並列に接続し、一時保存領域用ブリッジにメモリコントローラ４２ｄ，４２ｅ，４２ｆを並列に接続するような構成を採用してもよい。
【００８１】
メモリディスク４も、図２のメモリディスク２と同様に、ＡＣ電源から電力の供給を受けており、電力供給遮断時のデータ喪失防止のために蓄電池を搭載（又は接続）されている。本実施形態では、電力供給部が、ＡＣ電源からの電力供給が停止した時に、管理データ用モジュール及び恒久保存用モジュールと、一時保存用モジュールとで、蓄電池からの電力供給制御を異ならせ、可能な限り管理データ及び恒久保存が要求される録画データを保護する。
【００８２】
すなわち、本実施形態における電力供給部は、外部からの電力供給が停止した時に管理データ用モジュール及び恒久保存用モジュールに電力を供給する蓄電池４９ａとは別の蓄電池４９ｂを、一時保存用モジュールに電力を供給するために設けている。つまり、管理データ用モジュール及び恒久保存用モジュールに電力を供給する蓄電池４９ａが、一時保存用モジュールに電力を供給してしまうことの無いように別の蓄電池４９ｂを設けている。このように蓄電池４９ａ，４９ｂは、上記電力供給部に設けた蓄電池の例である。
【００８３】
ここで、蓄電池４９ａ，４９ｂの電池容量（好ましくは単位記憶容量当たりの電池容量）は、蓄電池４９ａの方が多いことが好ましいが、同じ又は少ない構成であっても、例えば外部電力供給時に優先的に蓄電池４９ａに電力を供給して充電させ、充電が完了した時点で蓄電池４９ｂの充電を開始するような制御を行うなどすればよい。また、蓄電池４９ｂを１つの蓄電池で構成した例を示しているが、モジュール毎に蓄電池を設けておいてもよいし、蓄電池４９ａとしてモジュール毎に別の蓄電池を設けてもよい。
【００８４】
このように、恒久記録する領域を一時保存の領域とは別の蓄電池をもたせることで、一部の揮発性メモリ内のデータが破損した場合でも、恒久記録する領域が保たれた状態で外部電力供給が再開できた場合には、管理データだけでなく必要な録画コンテンツ（ユーザにとって重要な録画データ）も全く失われることなく保護されることになる。
【００８５】
図５は、本発明の他の実施形態に係るＳＤＲＡＭを用いたメモリディスクの一構成例を示す図である。本実施形態に係るメモリディスク５は、図３のメモリディスク３のデータ領域を、図４のメモリディスク４のように恒久保存領域と一時保存領域とに分けたものである。換言すると、本実施形態に係るメモリディスク５は、図４のメモリディスク４において、図３のメモリディスク３のような電力供給部（蓄電池３６ａ及び電源制御回路３６ｂで構成される電力供給部）を設けたものである。以下、本実施形態を簡単に説明する。
【００８６】
図５で示すメモリディスク５は、ＡＴＡブリッジ５０を介して、図１の制御部１５のＩ／Ｆ１５ｂにＡＴＡ規格に基づき接続されており、ＡＴＡブリッジ５０の他に、ファイルシステムコントローラ５１、複数（この例では６つ）のメモリコントローラ５２ａ，５２ｂ，５２ｃ，５２ｄ，５２ｅ，５２ｆ、ＳＤＲＡＭ５３ａ、ＳＤＲＡＭ５４ａ，５４ｂ、ＳＤＲＡＭ５５ａ，５５ｂ、ＳＤＲＡＭ５６ａ，５６ｂ、ＳＤＲＡＭ５７ａ，５７ｂ、ＳＤＲＡＭ５８ａ，５８ｂを備えている。各構成間での接続やデータのやり取りについては図４のメモリディスク４で説明した通りであり、図５において符号を変えているだけである。
【００８７】
本実施形態における電力供給部は、蓄電池から管理データ用モジュール及び恒久保存用モジュールと一時保存用モジュールとで電力供給制御を異ならせるために、蓄電池５９ａと電源制御回路５９ｂとを備える。電源制御回路５９ｂは、外部からの電力供給が停止した時に、蓄電池５９ａから複数のモジュール全てに電力を供給するよう制御する。このように、蓄電池５９ａは、上記電力供給部に設けた蓄電池の例であり、各モジュールに電力を供給するための共通の蓄電池である。
【００８８】
さらに、電源制御回路５９ｂは、蓄電池５９ａの容量（つまりバッテリ残量）を監視し、バッテリ残量が所定容量以下に低下した時点（停止時にフル充電であった場合で考えると所定量以上低下した時点）で、一時保存用モジュールへの電力供給を停止する。このような停止のためのスイッチを電源制御回路５９ｂは有している。これにより、バッテリ残量が低下した時点で、管理データ用モジュール及び恒久保存用モジュールのみに電力供給が可能になり、可能な限り長時間、管理データ及び恒久保存が要求される録画データの保護が可能になる。管理データが残っていれば、録画データが殆ど消えても復旧できる場合もあるし、恒久保存が要求される録画データが残っていれば要求されない録画データが残っていなくてもユーザは納得がいく。
【００８９】
図６は、本発明の他の実施形態に係るＳＤＲＡＭを用いたメモリディスクの一構成例を示す図である。図６で示すメモリディスク６は、ＡＴＡブリッジ６０を介して、録画再生機器１等の録画機器におけるＣＰＵ等を備えた制御部１５のＩ／Ｆ１５ｂにＡＴＡ規格に基づき接続されている。メモリディスク６は、ＡＴＡブリッジ６０の他に、ファイルシステムコントローラ６１、複数（この例では３つ）のメモリコントローラ６２ａ，６２ｂ，６２ｃ、ＳＤＲＡＭ６３ａ〜６３ｄ、ＳＤＲＡＭ６４ａ〜６４ｄ、ＳＤＲＡＭ６５ａ〜６５ｄを備えている。
【００９０】
ファイルシステムコントローラ６１は、上記制御部（図１の制御部１５とは異なる）の一例であり、全てのＳＤＲＡＭで記憶領域が構成されるファイルシステムを制御する。各モジュールは、メモリコントローラと一対一に対応し、図示するようにファイルシステムコントローラ６１に並列に接続されている。メモリコントローラ６２ａ，６２ｂ，６２ｃは、ファイルシステムコントローラ６１によりデータの読み書きが制御される。
【００９１】
ここで、本実施形態のメモリディスク６における複数のモジュール全ては、全て同じ記憶容量をもったモジュール（異なる規格を含んでもよい）とする。ここで、「同じ」記憶容量とは、記憶容量が実質的に同じとみなせれば多少の大小は問題ない。
【００９２】
ＳＤＲＡＭ６３ａ〜６３ｄ、ＳＤＲＡＭ６４ａ〜６４ｄ、ＳＤＲＡＭ６５ａ〜６５ｄは、それぞれ、メモリコントローラ６２ａ、メモリコントローラ６２ｂ、メモリコントローラ６２ｃによりデータの読み書きが制御される。ＳＤＲＡＭ６３ａ〜６３ｄがメモリコントローラ６２ａに並列に接続されているように、各ＳＤＲＡＭは、メモリコントローラに並列に接続されている。但し、例えばＳＤＲＡＭ６３ａは、１枚のＳＤＲＡＭであっても、図示するように複数のＳＤＲＡＭが直列で接続されたものであってもよい。他のＳＤＲＡＭ６３ｂ〜６３ｄ，６４ａ〜６４ｄ，６５ａ〜６５ｄについても同様である。ＳＤＲＡＭは応答速度が速いためこのような接続方法を採用しても支障無く処理を遂行できる。また、１つのメモリコントローラに並列接続する各ＳＤＲＡＭ（ＳＤＲＡＭ群）はお互い同じ記憶容量を持たせて均一に記憶領域を分散することが好ましい。
【００９３】
このように、メモリコントローラ６２ａ，６２ｂ，６２ｃは、ファイルシステムコントローラ６１からの制御に基づき、それぞれＳＤＲＡＭ６３ａ〜６３ｄ、ＳＤＲＡＭ６４ａ〜６４ｄ、ＳＤＲＡＭ６５ａ〜６５ｄに対するデータの読み書きを制御する。
【００９４】
このような構成において、ファイルシステムコントローラ６１は、モジュール群の中から一部のモジュール（この例ではメモリコントローラ６２ａに関連するモジュール）を、管理データを保存するための管理データ用モジュール（管理領域のモジュール）として割り当て、管理データ用モジュールのメモリコントローラ（この例ではメモリコントローラ６２ａ）を制御する。このような制御により、ＳＤＲＡＭ６３ａ〜６３ｄには、管理データを保存することができる。
【００９５】
また、ファイルシステムコントローラ６１は、モジュール群の中から他のモジュール（この例ではメモリコントローラ６２ｂ，６２ｃに関連する各モジュール）を、録画データを保存するための録画データ用モジュールとして割り当て、録画データ用モジュールのメモリコントローラ（この例ではメモリコントローラ６２ｂ，６２ｃ）を制御する。このような制御により、ＳＤＲＡＭ６４ａ〜６４ｄ、ＳＤＲＡＭ６５ａ〜６５ｄには、録画データを保存することができる。
【００９６】
しかし、本実施形態に係るメモリディスク６は、図２のメモリディスク２のように、ファイルシステムコントローラが、一部のモジュールを管理データ用モジュールとして固定的に割り当てるものではなく、変更可能に割り当てる。
【００９７】
メモリディスク６は、ＡＣ電源から電力の供給を受けているが、停電時や電源コードが抜かれた時などの電力供給遮断時にデータが喪失してしまうことを防止するために、蓄電池（所謂、バックアップ電源）を搭載（又は接続）している。上述したように、本発明における電力供給部は、ＡＣ電源からの電力供給が停止した時に、管理データ用モジュールと録画データ用モジュールとでこの蓄電池から電力供給制御を異ならせ、可能な限り管理データを保護する。
【００９８】
本実施形態における電力供給部は、外部からの電力供給が停止した時に電力を供給する蓄電池を、モジュール毎に設けている。このように、ディスクメディア６では、同じ記憶容量をもつモジュールを並べて、そのうちの一つを管理領域とするものである。
【００９９】
つまり、本実施形態における電力供給部は、管理データ用モジュールと録画データ用モジュールとで異なる電力供給制御を行うために、外部からの電力供給が停止した時に管理データ用モジュールに電力を供給する蓄電池６７ａとは別の蓄電池６７ｂ，６７ｃを、録画データ用モジュールに電力を供給するために設けている。つまり、管理データ用モジュールに電力を供給する蓄電池６７ａが、録画データ用モジュールに電力を供給してしまうことの無いように別の蓄電池６７ｂ，６７ｃを設けている。このように蓄電池６７ａ，６７ｂ，６７ｃは、上記電力供給部に設けた蓄電池の例である。ここで、蓄電池６７ａ，６７ｂ，６７ｃの電池容量は、システムコントローラ６１が一部のモジュールを管理データ用モジュールとして変更可能に割り当て、どのモジュールも管理データ用となることがあり得るため、基本的に同じとする。
【０１００】
このような構成及び割り当て状態において、外部電力供給が停止した時の、本実施形態に係るディスクメディア６の可変割り当てについて説明する。
【０１０１】
ファイルシステムコントローラ６１は、管理データ用モジュールに電力を供給する蓄電池６７ａの容量（バッテリ容量）が所定容量以下に低下した時に、録画データ用モジュールに電力を供給する蓄電池６７ｂ，６７ｃのうち上記所定容量より多い容量が残っている蓄電池が存在するかの情報を、検出回路などから得る。ファイルシステムコントローラ６１は外部電力供給が停止した時にも可動しなくてはならないため、本実施形態ではコントローラ６１用の蓄電池６６を蓄電池６７ａ〜６７ｃとは別に有するものとする。なお、本実施形態以外の実施形態でも、停電時又は常時、ファイルシステムコントローラにバッテリから電力を供給してもよい。
【０１０２】
そして、ファイルシステムコントローラ６１は、多い容量が残っている蓄電池が存在した場合（この例では蓄電池６７ｂとする）には、（１）管理データ用モジュールに保存されている管理データを、その蓄電池６７ｂで電力を供給している録画データ用モジュールにコピー（又は移動）する制御を、両モジュールに含まれるメモリコントローラ６２ａ，６２ｂに対して実行する。このコピー（又は移動）の前には、その録画データ用モジュールのＳＤＲＡＭ６４ａ〜６４ｄをデフラグして領域を確保しておくことが好ましいが、単純にコピー（又は移動）により上書きしてしまってもよい。
【０１０３】
次いで、ファイルシステムコントローラ６１は、（２）その蓄電池６７ｂで電力を供給している録画データ用モジュールを、管理データを保存するための新たな管理データ用モジュールとして割り当てて、その新たな管理データ用モジュールに含まれるメモリコントローラ６２ｂを制御する。
【０１０４】
このような制御により、蓄電池６７ａの容量低下後、ＳＤＲＡＭ６３ａ〜６３ｄに保存されていた管理データは、ＳＤＲＡＭ６４ａ〜６４ｄにコピー又は移動され、ＳＤＲＡＭ６４ａ〜６４ｄに保存されることになる。外部電力復旧後もその管理データはＳＤＲＡＭ６４ａ〜６４ｄで保持され、必要に応じて書き換えられる。
【０１０５】
本実施形態では、管理領域のバッテリ容量が低下したら他のモジュールでバッテリ容量に余裕のある領域に管理情報をコピー又は移動し、コピー又は移動が完了したら以降はそのモジュールを管理領域としているため、可能な限り長時間、管理データを保持することができる。
【０１０６】
なお、元の管理データ用モジュールは、コピー又は移動時に、録画データ用モジュールとして割り当て直してもよいが、新たな管理データが消える前にＡＣ電源の供給が復旧したときに、割り当て直してもよい。新たな管理データまでも消えてしまったときには、ファイルシステムコントローラがデフォルトの割り当て（例えば、上述したメモリコントローラ６２ａに関連するモジュールを管理データ用に割り当てる処理）を実行すればよい。なお、本実施形態に限らず、他の実施形態においても、最終的に全てのデータが消えて、その後に起動した場合のために、ファイルシステムコントローラは、デフォルトの割り当てを実行するように構成しておけばよい。
【０１０７】
図７は、本発明の他の実施形態に係るＳＤＲＡＭを用いたメモリディスクの一構成例を示す図である。図７で示すメモリディスク７は、図６のメモリディスク６と同様に、ＡＴＡブリッジ７０を介して、図１の制御部１５のＩ／Ｆ１５ｂにＡＴＡ規格に基づき接続されている。メモリディスク７は、図６のメモリディスク６と同様に、ＡＴＡブリッジ７０の他に、ファイルシステムコントローラ７１、複数（この例では３つ）のメモリコントローラ７２ａ，７２ｂ，７２ｃ、ＳＤＲＡＭ７３ａ〜７３ｄ、ＳＤＲＡＭ７４ａ〜７４ｄ、ＳＤＲＡＭ７５ａ〜７５ｄを備えている。
【０１０８】
ファイルシステムコントローラ７１は、上記制御部（図１の制御部１５とは異なる）の一例であり、全てのＳＤＲＡＭで記憶領域が構成されるファイルシステムを制御する。各モジュール内での接続や各モジュールとファイルシステムコントローラ７１との接続、並びにこれらの接続によるデータのやり取りについては、図６で説明したものと同様である。このような構成により、メモリコントローラ７２ａ，７２ｂ，７２ｃは、ファイルシステムコントローラ７１からの制御に基づき、それぞれＳＤＲＡＭ７３ａ〜７３ｄ、ＳＤＲＡＭ７４ａ〜７４ｄ、ＳＤＲＡＭ７５ａ〜７５ｄに対するデータの読み書きを制御する。また、本実施形態でも、図６で説明したものと同様に、全てのモジュールが同じ記憶容量をもつことを前提とする。
【０１０９】
また、メモリディスク７における管理領域とデータ領域との割り当てについては、図２のメモリディスク２と同様であり、固定的な割り当てを採用する。これに加え、本実施形態においては、図４のメモリディスク４で説明したように、データ領域を恒久保存領域と一時保存領域とに分割して固定的に割り当てる。
【０１１０】
つまり、ファイルシステムコントローラ７１が、録画データ用モジュールのうちの一部のモジュール（この例では、メモリコントローラ７２ｂに関連するモジュール）を恒久保存用モジュールとして固定的に割り当てて、恒久保存用モジュールのメモリコントローラ（この例ではメモリコントローラ７２ｂ）を制御する。このような制御により、ＳＤＲＡＭ７４ａ〜７４ｄには、恒久的な保存が要求される録画データを保存することができる。
【０１１１】
また、ファイルシステムコントローラ７１が、録画データ用モジュールのうちの残りのモジュール（この例では、メモリコントローラ７２ｃに関連するモジュール）を一時保存用モジュールとして固定的に割り当てて、一時保存用モジュールのメモリコントローラ（この例ではメモリコントローラ７２ｃ）を制御する。このような制御により、ＳＤＲＡＭ７５ａ〜７５ｄには、恒久的な保存が要求されない録画データを保存することができる。勿論、この一時保存領域内のデータは、恒久的な保存が要求されないデータではあるが、通常時は消去することなく保持しておかないと録画した意味が無くなる。ユーザ操作に基づく恒久保存したい録画データの振り分け等については説明した通りである。
【０１１２】
また、ファイルシステムコントローラ７１に各メモリコントローラ７２ａ〜７２ｃが並列に接続されている例を前提として説明したが、本実施形態でも上述のように管理領域／データ領域の割り当てが固定的であるため、図７で「データ領域」として分けたような構成を採用してもよい。つまり、ファイルシステムコントローラ７１は、メモリコントローラ７２ａとデータ領域用のブリッジとに並列に接続され、そのデータ領域用ブリッジにはメモリコントローラ７２ｂ，７２ｃが並列に接続されるような構成を採用してもよい。
【０１１３】
また、同様の考えにより、本実施形態では恒久保存領域と一時保存領域とを固定的に割り当てているため、そのデータ領域用ブリッジに恒久保存領域用ブリッジと一時保存領域用ブリッジとを並列に接続し、恒久保存領域用ブリッジに複数のメモリコントローラ（７２ｂ以外は図示せず）を並列に接続し、一時保存領域用ブリッジに複数のメモリコントローラ（７２ｃ以外は図示せず）を並列に接続するような構成を採用してもよい。また、ファイルシステムコントローラ７１に、メモリコントローラ７２ａと恒久保存領域用ブリッジと一時保存領域用ブリッジとを並列に接続し、恒久保存領域用ブリッジに複数のメモリコントローラ（７２ｂ以外は図示せず）を並列に接続し、一時保存領域用ブリッジに複数のメモリコントローラ（７２ｃ以外は図示せず）を並列に接続するような構成を採用してもよい。
【０１１４】
本実施形態に係るメモリディスク７においても、図６のメモリディスク６と同様に、蓄電池をモジュール毎に設けることを前提とする。なお、図７の例では、恒久保存領域のモジュールが１つである例を挙げているが複数設けてもよく、同様に一時保存領域のモジュールも複数設けてもよい。
【０１１５】
そして、本実施形態では、上述した管理領域の割り当ての際に、ファイルシステムコントローラ７１が、モジュール毎に設けられた蓄電池のうち最も容量が大きい蓄電池７６ａで電力が供給されるモジュール（メモリコントローラ７２ａに関連するモジュール）を管理データ用モジュールとして固定的に割り当てるものとする。このとき、他のモジュールは勿論、録画データ用モジュールとして割り当てられる。これにより、ＡＣ電源からの電力供給が停止した時に、管理データ用モジュールへの電力供給が録画データ用モジュールより長くなり、長時間、管理データを保護することができる。
【０１１６】
さらに、本実施形態では、上述した恒久保存領域と一時保存領域の割り当ての際に、ファイルシステムコントローラ７１が、モジュール毎に設けられた蓄電池のうち２番目からＮ番目に容量が大きい蓄電池で電力が供給されるモジュールを恒久保存用モジュールとして固定的に割り当てる（但し、Ｎ−１は恒久保存用モジュールとして割り当てる数とする）。そして、ファイルシステムコントローラ７１は、録画データ用モジュールのうちの残りのモジュールを一時保存用モジュールとして固定的に割り当てる。図７の例では、恒久保存領域のモジュールが１つであるため、２番目に大きな容量の蓄電池７６ｂに対応するモジュールだけが恒久保存用モジュールとして割り当てられており、残りのモジュール（蓄電池７６ｃに対応するモジュール）が一時保存用モジュールとして割り当てられている。
【０１１７】
このような構成により、ＡＣ電源からの電力供給が停止した時に、管理データ用モジュールへの電力供給が録画データ用モジュールより長くなり、録画データ用モジュールの中でも恒久保存用モジュールへの電力供給が一時保存用モジュールより長くなるため、管理データを一番長く保護し、恒久保存が要求される録画データを次に長く保護することができる。
【０１１８】
また、図７のメモリディスク７ではデータ領域を恒久保存領域と一時保存領域とに分割して割り当てたが、図７の構成において、このような分割を行わないようにしてもよい。そして、ファイルシステムコントローラ７１が、蓄電池のうち最も容量が大きい蓄電池７６ａで電力が供給されるモジュールを管理データ用モジュールとして割り当てて、管理データ用モジュールのメモリコントローラ７２ａを制御するだけにしてもよい。これにより、少なくとも管理データの保護期間を録画データより長くすることができる。
【０１１９】
図８は、本発明に関連するＳＤＲＡＭを用いたメモリディスクの一構成例を示す図である。図８で示すメモリディスク８は、図４のメモリディスク４において、管理領域（管理データ用モジュール）と恒久保存領域（恒久保存用モジュール）とを、揮発性メモリを記憶領域とするモジュールとする代わりに、ＮＡＮＤ型フラッシュメモリ等の不揮発性メモリを記憶領域とするモジュールにしたものである。当然、不揮発性メモリに対応するメモリコントローラはその不揮発性メモリ用のものを採用する。
【０１２０】
メモリディスク８は、ＡＴＡブリッジ８０を介して、図１の制御部１５のＩ／Ｆ１５ｂにＡＴＡ規格に基づき接続されており、ＡＴＡブリッジ８０の他に、ファイルシステムコントローラ８１、複数（この例では５つ）のメモリコントローラ８２ａ，８２ｂ，８２ｃ，８２ｄ，８２ｅ、フラッシュメモリ（FLASH）８３ａ、フラッシュメモリ８４ａ，８４ｂ，８４ｃ、ＳＤＲＡＭ８５ａ，８５ｂ、ＳＤＲＡＭ８６ａ，８６ｂ、ＳＤＲＡＭ８７ａ，８７ｂを備えている。
【０１２１】
ファイルシステムコントローラ８１は、上記制御部（図１の制御部１５とは異なる）の一例であり、全てのＳＤＲＡＭ及びフラッシュメモリで記憶領域が構成されるファイルシステムを制御する。各モジュール内での接続や各モジュールとファイルシステムコントローラ８１との接続、並びにこれらの接続によるデータのやり取りについては、図４で説明したものと基本的に同様である。つまり、ファイルシステムコントローラ８１には、メモリコントローラ８２ａ，８２ｂ，８２ｃ，８２ｄ，８２ｅが並列に接続され、各メモリコントローラにはフラッシュメモリ又はＳＤＲＡＭが並列に接続されている。このような構成により、メモリコントローラ８２ａ，８２ｂ，８２ｃ，８２ｄ，８２ｅは、ファイルシステムコントローラ８１からの制御に基づき、それぞれフラッシュメモリ８３ａ、フラッシュメモリ８４ａ〜８４ｃ、ＳＤＲＡＭ８５ａ，８５ｂ、ＳＤＲＡＭ８６ａ，８６ｂ、ＳＤＲＡＭ８７ａ，８７ｂに対するデータの読み書きを制御する。
【０１２２】
また、メモリディスク８における管理領域とデータ領域との割り当てについても、図４のメモリディスク４で説明したのと同様であり、ファイルシステムコントローラ８１が固定的な割り当てを採用する。メモリディスク８においては、恒久保存領域と一時保存領域との割り当てについても固定的な割り当てを採用するものとする。
【０１２３】
これにより、フラッシュメモリ８３ａには管理データを保存することができ、フラッシュメモリ８４ａ〜８４ｃには恒久保存が要求される録画データを保存することができ、ＳＤＲＡＭ８５ａ，８５ｂ，８６ａ，８６ｂ，８７ａ，８７ｂには恒久保存が要求されない録画データを保存することができる。勿論、この一時保存領域内のデータは、恒久的な保存が要求されないデータではあるが、通常時は消去することなく保持しておかないと録画した意味が無くなる。ユーザ操作に基づく恒久保存したい録画データの振り分け等については説明した通りである。
【０１２４】
また、ファイルシステムコントローラ８１に各メモリコントローラ８２ａ〜８２ｅが並列に接続されている例を前提として説明したが、本例でも上述のように管理領域／データ領域の割り当てが固定的であるため、図８で「データ領域」として分けたような構成を採用してもよい。つまり、ファイルシステムコントローラ８１は、メモリコントローラ８２ａとデータ領域用のブリッジとに並列に接続され、そのデータ領域用ブリッジにはメモリコントローラ８２ｂ〜８２ｅが並列に接続されるような構成を採用してもよい。
【０１２５】
また、恒久保存領域と一時保存領域とも固定的な割り当てを採用しているため、そのデータ領域用ブリッジに恒久保存領域用ブリッジと一時保存領域用ブリッジとを並列に接続し、恒久保存領域用ブリッジにメモリコントローラ８２ｂを接続し、一時保存領域用ブリッジにメモリコントローラ８２ｃ，８２ｄ，８２ｅを並列に接続するような構成を採用してもよい。また、ファイルシステムコントローラ８１に、メモリコントローラ８２ａと恒久保存領域用ブリッジと一時保存領域用ブリッジとを並列に接続し、恒久保存領域用ブリッジにメモリコントローラ８２ｂを接続し、一時保存領域用ブリッジにメモリコントローラ８２ｃ，８２ｄ，８２ｅを並列に接続するような構成を採用してもよい。
【０１２６】
メモリディスク８では、管理領域と恒久保存領域とにフラッシュメモリを用いているため、それらのモジュールに対するバックアップ用の蓄電池は不要となり、管理データ及び恒久保存が要求される録画データを保護することができる。また、一時保存用モジュールについては、上記電力供給部の一例として蓄電池８８を設けている。そして、電力供給部は、外部からの電力供給が停止した時に、一時保存用モジュールに対してのみ蓄電池８８から電力を供給し、電力供給遮断時のデータ喪失をできるだけ防止している。このように、本例における電力供給部は、外部からの電力供給が停止した時に電力を供給する蓄電池を、管理データ用モジュール及び恒久保存用モジュールを除いたモジュールに対して、モジュール毎に設けるか、或いは１つ設ける。
【０１２７】
また、図８のメモリディスク８では、恒久保存領域にも不揮発性メモリを採用した例を説明したが、本発明の他の実施形態として、不揮発性メモリは管理領域だけに採用するようにしてもよい。但し、この実施形態では、データ領域を恒久保存領域と一時保存領域とに分割して割り当てる際に、固定的に割り当ててもよいし、変更可能に割り当ててもよい。
【０１２８】
この実施形態では、管理領域にフラッシュメモリを用いているため、そのモジュールに対するバックアップ用の蓄電池は不要となり、管理データを保護することができる。また、恒久保存用モジュール及び一時保存用モジュールについては、上記電力供給部の一例として蓄電池を設けておけばよい。ここで、本実施形態における電力供給部は、外部からの電力供給が停止した時に電力を供給する蓄電池を、管理データ用モジュールを除いたモジュールに対して、モジュール毎に設けるか、或いは１つ設けておく。
【０１２９】
そして、電力供給部は、外部からの電力供給が停止した時に、蓄電池から管理データ用モジュールへの電力供給の制御と蓄電池から録画データ用モジュールへの電力供給の制御とを異ならせる代わりに、蓄電池から恒久保存用モジュールへの電力供給の制御と蓄電池から一時保存用モジュールへの電力供給の制御とを異ならせる。そして、恒久保存用モジュールに対する電力供給を長くするような、例えば上述した電池容量の大きさによる割り当てや電源制御回路による残量低下時の一時保存領域への電力供給停止などの構成を採用することで、電力供給遮断時の必要なデータ喪失をできるだけ防止することができる。
【図面の簡単な説明】
【０１３０】
【図１】本発明の一実施形態に係る録画再生機器の構成例を示すブロック図である。
【図２】本発明の一実施形態に係るＳＤＲＡＭを用いたメモリディスクの一構成例を示す図である。
【図３】本発明の他の実施形態に係るＳＤＲＡＭを用いたメモリディスクの一構成例を示す図である。
【図４】本発明の他の実施形態に係るＳＤＲＡＭを用いたメモリディスクの一構成例を示す図である。
【図５】本発明の他の実施形態に係るＳＤＲＡＭを用いたメモリディスクの一構成例を示す図である。
【図６】本発明の他の実施形態に係るＳＤＲＡＭを用いたメモリディスクの一構成例を示す図である。
【図７】本発明の他の実施形態に係るＳＤＲＡＭを用いたメモリディスクの一構成例を示す図である。
【図８】本発明に関連するＳＤＲＡＭを用いたメモリディスクの一構成例を示す図である。
【図９】従来のＳＤＲＡＭを用いたメモリディスクの構成を示す図である。
【符号の説明】
【０１３１】
１…録画再生機器、２，３，４，５，６，７，８…メモリディスク、１０…メモリディスク、１０ａ…ＡＴＡブリッジ、１１…アンテナ、１２…チューナ、１３…トランスコーダ、１４…入出力Ｉ／Ｆ、１５…制御部、１５ａ…Ｉ／Ｆ、１５ｂ…ＡＴＡ  Ｉ／Ｆ、１６…リモコン受信部、１７…デコーダ、１８…音声出力部、１９…表示出力部、２０，３０，４０，５０，６０，７０，８０…ＡＴＡブリッジ、２１，３１，４１，５１，６１，７１，８１…ファイルシステムコントローラ、２２ａ，２２ｂ，２２ｃ，３２ａ，３２ｂ，３２ｃ，４２ａ，４２ｂ，４２ｃ，４２ｄ，４２ｅ，４２ｆ，５２ａ，５２ｂ，５２ｃ，５２ｄ，５２ｅ，５２ｆ，６２ａ，６２ｂ，６２ｃ，７２ａ，７２ｂ，７２ｃ，８２ａ，８２ｂ，８２ｃ，８２ｄ，８２ｅ…メモリコントローラ、２３ａ，２３ｂ，２４ａ，２４ｂ，２４ｃ，２４ｄ，２５ａ，２５ｂ，２５ｃ，２５ｄ，３３ａ，３３ｂ，３４ａ，３４ｂ，３４ｃ，３４ｄ，３５ａ，３５ｂ，３５ｃ，３５ｄ，４３ａ，４４ａ，４４ｂ，４５ａ，４５ｂ，４６ａ，４６ｂ，４７ａ，４７ｂ，４８ａ，４８ｂ，５３ａ，５４ａ，５４ｂ，５５ａ，５５ｂ，５６ａ，５６ｂ，５７ａ，５７ｂ，５８ａ，５８ｂ，６３ａ，６３ｂ，６３ｃ，６３ｄ，６４ａ，６４ｂ，６４ｃ，６４ｄ，６５ａ，６５ｂ，６５ｃ，６５ｄ，７３ａ，７３ｂ，７３ｃ，７３ｄ，７４ａ，７４ｂ，７４ｃ，７４ｄ，７５ａ，７５ｂ，７５ｃ，７５ｄ，８５ａ，８５ｂ，８６ａ，８６ｂ，８７ａ，８７ｂ…ＳＤＲＡＭ、２６ａ，２６ｂ，３６ａ，４９ａ，４９ｂ，５９ａ，６６，６７ａ，６７ｂ，６７ｃ，７６ａ，７６ｂ，７６ｃ…蓄電池、３６ｂ，５９ｂ…電源制御回路、８３ａ，８４ａ，８４ｂ，８４ｃ…フラッシュメモリ。
【図１】
2010130320.tif 000003
【図２】
2010130320.tif 000004
【図３】
2010130320.tif 000005
【図４】
2010130320.tif 000006
【図５】
2010130320.tif 000007
【図６】
2010130320.tif 000008
【図７】
2010130320.tif 000009
【図８】
2010130320.tif 000010
【図９】
2010130320.tif 000011